(57)【要約】【課題】  装置の製造コストの上昇及びメンテナンス作業性の悪化を抑制しつつ、廃液中に含まれる消毒剤や酸洗浄剤等の不活化が良好に図られているか否かを監視することができる血液透析システムを提供する。【解決手段】  透析液作製手段１と、ダイアライザ７と接続された透析液流路（供給側透析液流路Ｌ１及び排出側透析液流路Ｌ２）と、透析液流路を流れる透析液の電導度を計測する電導度計４と、閉鎖状態とされた透析液流路にアルカリ性のアルカリ洗浄剤、該アルカリ洗浄剤を不活化して酸性又は中性とする不活化剤を供給し、アルカリ洗浄工程、酸洗浄工程又は中和工程を行うための供給手段８とを具備した血液透析システムであって、供給手段８による洗浄又は中和工程時、電導度計４により計測された電導度に基づき、当該透析液流路内のｐＨ状態を監視するものである。【選択図】図２
2006280776.tif 000002
【特許請求の範囲】
【請求項１】
所定濃度の透析液を作製し得る透析液作製手段と、
該透析液作製手段で作製された透析液を血液浄化手段側に導くとともに、当該血液浄化手段から回収された透析液を廃液手段側に導く透析液流路と、
作製された透析液の濃度を検出すべく前記透析液流路を流れる透析液の電導度を計測する電導度計測手段と、
閉鎖状態とされた透析液流路にアルカリ性のアルカリ洗浄剤、該アルカリ洗浄剤を不活化して酸性又は中性とする不活化剤を供給し、アルカリ洗浄工程、酸洗浄工程又は中和工程を行うための供給手段と、
を具備した血液透析システムであって、
前記供給手段による洗浄又は中和工程時、前記電導度計測手段により計測された電導度に基づき、当該透析液流路内のｐＨ状態を監視することを特徴とする血液透析システム。
【請求項２】
前記供給手段は、塩素系消毒洗浄剤を供給してアルカリ洗浄工程を行わせた後、不活化剤を供給して酸性の酸洗浄剤とし、酸洗浄工程を行わせるとともに、当該酸洗浄工程時、前記電導度計測手段によるｐＨ状態の監視が行われることを特徴とする請求項１記載の血液透析システム。
【請求項３】
前記供給手段は、前記酸洗浄工程の後、不活化剤を供給して中和工程を行わせるとともに、当該中和工程時、前記電導度計測手段によるｐＨ状態の監視が行われることを特徴とする請求項２記載の血液透析システム。
【請求項４】
前記供給手段は、
アルカリ洗浄剤を供給する第１供給手段と、
アルカリ洗浄剤を酸性の酸洗浄剤とするとともに、その酸洗浄剤を中和して中和剤とし得る不活化剤を供給する第２供給手段と、
から成ることを特徴とする請求項１〜請求項３の何れか１つに記載の血液透析システム。
【発明の詳細な説明】
【技術分野】
【０００１】
本発明は、所定濃度の透析液を作製し、当該透析液の血液浄化手段に対する供給又は回収を行わせて透析治療し得る血液透析システムに関するものである。
【背景技術】
【０００２】
透析治療においては、通常、ダイアライザ等の血液浄化手段に所定濃度の透析液を供給しつつ、当該血液浄化手段にて取り除かれた血液中の老廃物等を含んだ透析液を回収するための血液透析システムが使用されている。かかる血液透析システムは、２種の原液（Ａ剤原液及びＢ剤原液）を清浄水に溶解して所定濃度の透析液を作製する透析液作製手段と、作製された透析液を血液浄化手段側に導くと共に当該血液浄化手段から回収された透析液を廃液手段側に導く透析液流路と、作製された透析液が所定濃度に達しているか否かを検出すべく当該透析液の電導度を計測する電導度計測手段（電導度計など）とから主に構成されている。
【０００３】
ところで、例えば次亜塩素酸ナトリウムなど塩素系消毒洗浄剤を透析液流路に供給して循環させる消毒工程と、酢酸水溶液などの酸洗浄剤を透析液流路に供給して循環させる酸洗浄工程とを定期的に実施することにより、血液透析システムの衛生が長期に亘って保たれている。しかして、消毒工程においては、塩素系消毒洗浄剤による消毒とタンパク質除去が図られ、酸洗浄工程においては、透析液の成分に起因して析出される炭酸カルシウムなどの除去が図られることとなる。
【０００４】
然るに、消毒工程にて使用された塩素系消毒洗浄剤や酸洗浄工程にて使用された酸洗浄剤をそのまま廃液手段に導き、排水として放出すると、環境に悪影響を及ぼしてしまうことから、これを防止すべく種々提案がなされている。例えば、特許文献１にて開示されているように、従来、消毒工程後に還元剤を添加して、塩素系消毒洗浄剤などを還元剤で分解することにより無害化を図り、廃液することが提案されていた。
【特許文献１】特開昭６４−１１５５２号公報
【発明の開示】
【発明が解決しようとする課題】
【０００５】
しかしながら、上記従来の血液透析システムにおいては、例えば塩素系消毒洗浄剤の無害化（不活化）が良好に図られているか否かを監視することができないという問題があった。即ち、消毒工程後に還元剤を所定量添加しても、例えば装置の不具合や条件の変化等により塩素系消毒洗浄剤の不活化が良好に行われない可能性があるが、かかる場合において、目視等による簡易な判別ができないという不具合があったのである。
【０００６】
また、上記不具合を解消すべく、例えばｐＨ計などを装備させて、消毒工程や酸洗浄工程後のｐＨ値を監視し、塩素系消毒洗浄剤や酢酸等の不活化が良好に行われているか否かを判別することが考えられるが、その場合、新たにｐＨ計を設置する必要があることから、血液透析システムの製造コストが嵩んでしまうとともに、メンテナンス要素の増大に伴って作業性が悪化してしまう等の問題がある。
【０００７】
そこで本出願人は、消毒工程や酸洗浄工程などに用いられる溶液のｐＨ値の変化に伴って、その電導度も上昇又は下降することを見出し、血液透析システムには必須とされる電導度計測手段（電導度計）を消毒又は酸洗浄後における廃液のｐＨ監視にも流用することを検討した。
【０００８】
本発明は、このような事情に鑑みてなされたもので、装置の製造コストの上昇及びメンテナンス作業性の悪化を抑制しつつ、廃液中に含まれる消毒剤や酸洗浄剤等の不活化が良好に図られているか否かを監視することができる血液透析システムを提供することにある。
【課題を解決するための手段】
【０００９】
請求項１記載の発明は、所定濃度の透析液を作製し得る透析液作製手段と、該透析液作製手段で作製された透析液を血液浄化手段側に導くとともに、当該血液浄化手段から回収された透析液を廃液手段側に導く透析液流路と、作製された透析液の濃度を検出すべく前記透析液流路を流れる透析液の電導度を計測する電導度計測手段と、閉鎖状態とされた透析液流路にアルカリ性のアルカリ洗浄剤、該アルカリ洗浄剤を不活化して酸性又は中性とする不活化剤を供給し、アルカリ洗浄工程、酸洗浄工程又は中和工程を行うための供給手段とを具備した血液透析システムであって、前記供給手段による洗浄又は中和工程時、前記電導度計測手段により計測された電導度に基づき、当該透析液流路内のｐＨ状態を監視することを特徴とする。
【００１０】
請求項２記載の発明は、請求項１記載の血液透析システムにおいて、前記供給手段は、塩素系消毒洗浄剤を供給してアルカリ洗浄工程を行わせた後、不活化剤を供給して酸性の酸洗浄剤とし、酸洗浄工程を行わせることを特徴とする。
【００１１】
請求項３記載の発明は、請求項２記載の血液透析システムにおいて、前記供給手段は、前記酸洗浄工程の後、不活化剤を供給して中和工程を行わせることを特徴とする。
【００１２】
請求項４記載の発明は、請求項１〜請求項３の何れか１つに記載の血液透析システムにおいて、前記供給手段は、アルカリ洗浄剤を供給する第１供給手段と、アルカリ洗浄剤を酸性の酸洗浄剤とするとともに、その酸洗浄剤を中和して中和剤とし得る不活化剤を供給する第２供給手段とから成ることを特徴とする。
【発明の効果】
【００１３】
請求項１の発明によれば、血液透析システムには必須とされる電導度計測手段を消毒又は酸洗浄後における廃液のｐＨ監視にも流用するので、装置の製造コストの上昇及びメンテナンス作業性の悪化を抑制しつつ、廃液中に含まれる消毒剤や酸洗浄剤等の不活化が良好に図られているか否かを監視することができる。
【００１４】
請求項２の発明によれば、供給手段が、塩素系消毒洗浄剤を供給してアルカリ洗浄工程を行わせた後、不活化剤を供給して酸性の酸洗浄剤とし、酸洗浄工程を行わせるとともに、当該酸洗浄工程時、電導度計測手段によるｐＨ状態の監視が行われるので、アルカリ洗浄工程におけるｐＨと酸洗浄におけるｐＨとを連続的に変化させることができ、電導度計測手段によるｐＨ監視を確実且つ容易とすることができるとともに、酸洗浄工程における酸洗浄が確実に行われているか否かを判別させることができる。
【００１５】
請求項３の発明によれば、供給手段が、酸洗浄工程の後、不活化剤を供給して中和工程を行わせるとともに、当該中和工程時、電導度計測手段によるｐＨ状態の監視が行われるので、アルカリ洗浄工程から中和工程まで連続的にｐＨを変化させることができ、電導度計測手段によるｐＨ監視を確実且つ容易とすることができるとともに、中和工程における中和が確実に行われているか否かを判別させることができる。
【００１６】
請求項４の発明によれば、供給手段が、アルカリ洗浄剤を供給する第１供給手段と、アルカリ洗浄剤を酸性の酸洗浄剤とするとともに、その酸洗浄剤を中和して中和剤とし得る不活化剤を供給する第２供給手段とから成るので、消毒液及び酸洗浄液の２つを供給し得るよう構成されていた既存の血液透析システムにそのまま適用することができる。
【発明を実施するための最良の形態】
【００１７】
以下、本発明の実施形態について図面を参照しながら具体的に説明する。
本実施形態に係る血液透析システムは、図１に示すように、所定濃度の透析液を作製し得る透析液作製手段１と、該透析液作製手段１で作製された透析液をダイアライザ７側に導く供給側透析液流路Ｌ１と、ダイアライザ７から回収された透析液を廃液手段５側に導く排出側透析液流路Ｌ２と、供給側透析液流路Ｌ１と排出側透析液流路Ｌ２とに跨って配設された複式ポンプ３と、電導度計４（電導度計測手段）と、除水ポンプ６とから主に構成されている。
【００１８】
血液浄化手段としてのダイアライザ７は、その筐体部に、血液導入ポート７ｃ、血液導出ポート７ｄ、透析液導入ポート７ａ、及び透析液導出ポート７ｂが形成されており、このうち血液導入ポート７ｃには動脈側血液回路（不図示）の基端が、血液導出ポート７ｄには静脈側血液回路（不図示）の基端がそれぞれ接続されている。そして、患者の血液は、動脈側血液回路、ダイアライザ７及び静脈側血液回路にて体外循環され、その過程においてダイアライザ７で浄化されるようになっている。尚、透析液導入ポート７ａ及び透析液導出ポート７ｂには、後述する供給側透析液流路Ｌ１及び排出側透析液流路Ｌ２が接続されることとなる。
【００１９】
ダイアライザ７内には、複数の中空糸（中空糸束）が収容されており、該中空糸内部が血液の流路とされるとともに、中空糸外周面と筐体部の内周面との間が透析液の流路とされている。各中空糸には、その外周面と内周面とを貫通した微少な孔（ポア）が多数形成されて中空糸膜を形成しており、該膜を介して血液中の老廃物が透析液内に透過して除去され得るよう構成されている。
【００２０】
供給側透析液流路Ｌ１は、その一端側が清浄水が供給される給水手段２に接続されるとともに、他端側がダイアライザ７の透析液導入ポート７ａと接続され得るよう構成され、途中に透析液作製手段１及び電導度計４が配設されている。透析液作製手段１は、作製過程の透析液を所定量収容しつつ撹拌するための撹拌チャンバ１ａ、１ｂと、透析液の原液であるＡ剤原液及びＢ剤原液を導入し得る導入ラインＬ７、Ｌ８及び導入ポンプＰ１、Ｐ２とから主に構成されている。
【００２１】
Ａ剤原液は、塩化ナトリウム、塩化カリウム、塩化カルシウム、塩化マグネシウム及び酢酸ナトリウムなどを含有する混合水溶液から成り、導入ラインＬ７と連通され得る容器Ｔａ内に収容されている。また、Ｂ剤原液は、炭酸水素ナトリウムの水溶液から成り、導入ラインＬ８と連通され得る容器Ｔｂ内に収容されている。そして、給水手段２から導かれた清浄水と導入ポンプＰ２の駆動により容器Ｔｂから導入されたＢ剤原液とを撹拌チャンバ１ｂにて撹拌して溶解させた後、その溶液と導入ポンプＰ１の駆動により容器Ｔａから導入されたＡ剤原液とを撹拌チャンバ１ａにて撹拌して溶解させることにより、所定濃度の透析液が作製されることとなる。
【００２２】
電導度計４は、作製された透析液の濃度を検出すべく供給側透析液流路Ｌ１を流れる透析液の電導度を計測するためのもので、当該供給側透析液流路Ｌ１における透析液作製手段１よりも下流側で且つ複式ポンプ３よりも上流側の位置に配設されている。尚、かかる電導度計４で計測された電導度を、所定のディスプレイ等に対してリアルタイムに数値表示又はグラフ表示するようにしてもよい。
【００２３】
排出側透析液流路Ｌ２は、その一端側が廃水処理するための廃液手段５に接続されるとともに、他端側がダイアライザ７の透析液導出ポート７ｂと接続され得るよう構成され、途中に供給手段８及び複式ポンプ３を迂回するバイパスラインＬ３が接続されている。バイパスラインＬ３には、透析治療において除水を行うための除水ポンプ６が配設されており、この除水ポンプ６を駆動させると、複式ポンプ３が定量型であるため、供給側透析液流路Ｌ１から供給される透析液量よりも排出側透析液流路Ｌ２から排出される液体の容量が多くなり、その多い容量分だけ血液中から水分を除去（除水）し得るようになっている。
【００２４】
供給手段８は、容器Ｆ１内に収容された塩素系消毒洗浄剤、及び容器Ｆ２内に収容された不活化剤をそれぞれ導入ラインＬ５及びＬ６を介して排出側透析液流路Ｌ２に供給し、アルカリ洗浄、酸洗浄或いは中和を行い得るものである。また、導入ラインＬ５及びＬ６には、それぞれ電磁弁Ｖ３及びＶ４が配設されており、透析治療時においては、両電磁弁Ｖ３及びＶ４が閉状態とされるとともに、アルカリ洗浄工程、酸洗浄工程又は中和工程においては、電磁弁Ｖ３或いはＶ４の一方が選択的に開くよう構成されている。
【００２５】
容器Ｆ１内の塩素系消毒洗浄剤は、ｐＨが７以上（好ましくは９以上）のアルカリ性を示すアルカリ洗浄剤から成り、特に次亜塩素酸ナトリウムを含む消毒剤が好ましいが、例えば次亜塩素酸カリウム等他の次亜塩素酸アルカリ金属塩、塩素化イソシアヌル酸ナトリウム或いは塩素化イソシアヌル酸カリウム等の塩素化イソシアヌル酸アルカリ金属塩を用いてもよい。このような、アルカリ洗浄剤を供給することで、供給側透析液流路Ｌ１及び排出側透析液流路Ｌ２から成る透析液流路全般に対するたんぱく汚れの除去及び消毒などを強力に行うことができる。
【００２６】
一方、容器Ｆ２内の不活化剤は、透析液流路内のアルカリ洗浄剤（塩素系消毒洗浄剤）を不活化して酸性又は中性とするものであり、例えば還元剤としてのチオ硫酸ナトリウムとアルカリ剤としての水酸化ナトリウムとを混合した水溶液から成る。即ち、アルカリ洗浄後、本実施形態に係る不活化剤を供給することにより、チオ硫酸ナトリウムの還元作用（不活化）で例えばｐＨを４以下に低下させ、酸洗浄剤とすることができ、酸洗浄を図ることができるのである。
【００２７】
その後、更に不活化剤を供給すると、洗浄剤中の塩素が既に不活化されているため、少量のアルカリ成分（即ち、不活化剤が含有する水酸化ナトリウム）でもｐＨを容易に上昇でき、例えばｐＨが５〜９の中性とすることができる。ここで、本実施形態においては、チオ硫酸ナトリウム（還元剤）と水酸化ナトリウム（アルカリ剤）とを混合した水溶液を容器Ｆ２に収容し、酸洗浄工程時の酸性化、中和工程の中和化の両者を図っているが、それぞれ別個の容器に還元剤及びアルカリ剤を収容し、選択的に供給させるようにしてもよい。
【００２８】
尚、不活化剤に含有される還元剤として、チオ硫酸ナトリウム等チオ硫酸塩の他、重亜硫酸塩、次亜硫酸塩及びアスコルビン酸塩から選ばれる１種以上が挙げられ、塩はナトリウム、カリウム等のアルカリ金属塩が好ましい。また、不活化剤に含有されるアルカリ剤として、水酸化ナトリウムの他、水酸化カリウム等のアルカリ金属水酸化物、炭酸ナトリウムや炭酸カリウム等のアルカリ金属炭酸塩から選ばれる１種以上が挙げられる。
【００２９】
然るに、アルカリ洗浄剤（本実施形態においては次亜塩素酸ナトリウムを含む洗浄剤）を排出側透析液流路Ｌ２に供給するための部位（容器Ｆ１に接続された導入ラインＬ５及び電磁弁Ｖ３）が本発明の第１供給手段、不活化剤（本実施形態においては還元剤としてのチオ硫酸ナトリウムとアルカリ剤としての水酸化ナトリウムとを混合した水溶液）を排出側透析液流路Ｌ２に供給するための部位（容器Ｆ２に接続された導入ラインＬ６及び電磁弁Ｖ４）が本発明の第２供給手段に該当する。
【００３０】
本実施形態によれば、上記の如く、アルカリ洗浄剤を酸性の酸洗浄剤とする不活化剤と、その酸洗浄剤を中和して中和剤とし得る不活化剤とを１つの剤として共通化しているので、供給手段８が、第１供給手段と第２供給手段の２つから構成させることができ、消毒液及び酸洗浄液の２つを供給し得るよう構成されていた既存の血液透析システムにそのまま適用することができる。
【００３１】
一方、供給側透析液流路Ｌ１における透析液作製手段１より上流側、排出側透析液流路Ｌ２における除水ポンプ６より下流側には、それぞれ電磁弁Ｖ１及びＶ２が配設されている。また、電磁弁Ｖ１より下流側と電磁弁Ｖ２より上流側とは、バイパスラインＬ４にて連結されており、該バイパスラインＬ４には電磁弁Ｖ５が配設されている。そして、透析治療時には、電磁弁Ｖ５が閉状態（既述の如く、電磁弁Ｖ３及びＶ４も閉状態）、且つ、電磁弁Ｖ１及びＶ２が開状態とされており、複式ポンプ３の駆動により、透析液作製手段１にて作製された所定濃度の透析液が供給側透析液流路Ｌ１を通ってダイアライザ７に供給された後、排出側透析液流路Ｌ２を通って廃液手段５に至ることとなる。
【００３２】
次に、透析治療後のアルカリ洗浄工程及び酸洗浄工程について説明する。
複式ポンプ３及び除水ポンプ６が停止して透析治療が終了し、不図示の血液回路中の血液が患者の体内に回収された後、供給側透析液流路Ｌ１と排出側透析液流路Ｌ２とをダイアライザ７の透析液導入ポート７ａ、及び透析液導出ポート７ｂから取り外すとともに、図２に示すように、各先端をバイパスコネクタＣ５に接続して短絡させる。
【００３３】
同時に、透析液作製手段１における導入ラインＬ７及びＬ８の先端を、接続部Ｃ３、Ｃ４から接続部Ｃ１、Ｃ２へ繋ぎ代えた後、給水手段２からの清浄水の供給を行いつつ複式ポンプ３を駆動させる。このとき、電磁弁Ｖ１、Ｖ２の開状態、電磁弁Ｖ３、Ｖ４及びＶ５の閉状態が維持されているため、供給された清浄水は、透析液作製手段１を含む供給側透析液流路Ｌ１、排出側透析液流路Ｌ２（複式ポンプ３部含む）及びバイパスラインＬ３を通って廃液手段５に導かれる。これにより、清浄水による洗浄工程が完了し、複式ポンプ３を停止させる。
【００３４】
続いて、電磁弁Ｖ１を閉状態としつつ電磁弁Ｖ３を開状態とし（電磁弁Ｖ２の開状態及び電磁弁Ｖ４の閉状態はそのまま）、除水ポンプ６を駆動させると、容器Ｆ１内の次亜塩素酸ナトリウムを含む洗浄剤（アルカリ洗浄剤）が導入ラインＬ５を介して排出側透析液流路Ｌ２に供給される。かかる洗浄剤の所定量の供給後、電磁弁Ｖ３を閉状態とするとともに電磁弁Ｖ２を閉状態及び電磁弁Ｖ５を開状態とすることにより、透析液流路を閉鎖状態（流路が閉じた状態）とする。
【００３５】
この閉鎖状態で複式ポンプ３を再び駆動させることにより、供給された洗浄剤が閉鎖した流路を循環し、その循環過程においてｐＨが１０程度のアルカリ洗浄剤とされるとともに、タンパク除去や消毒などを目的としたアルカリ洗浄工程が行われることとなる。そして、所定時間経過後、複式ポンプ３を停止させ、再び電磁弁Ｖ５を閉状態、Ｖ２を開状態とするとともに、除水ポンプ６を駆動させつつ電磁弁Ｖ４を開状態とすることにより、容器Ｆ２内の不活化剤が導入ラインＬ６を介して排出側透析液流路Ｌ２に供給される。かかる不活化剤の所定量の供給後、電磁弁Ｖ４を閉状態とするとともに電磁弁Ｖ２を閉状態及び電磁弁Ｖ５を開状態とすることにより、透析液流路を閉鎖状態（流路が閉じた状態）とする。
【００３６】
この閉鎖状態で複式ポンプ３を再び駆動させることにより、供給された不活化剤が閉鎖した流路を循環し、アルカリ洗浄剤の不活化が図られるとともに、ｐＨを１０程度から２．８程度まで下降させ、洗浄剤の酸性化を図る。かかる酸性化された洗浄剤（酸洗浄剤）を閉鎖した流路内で循環させることにより、炭酸カルシウムの除去等を目的とした酸洗浄工程が行われることとなる。
【００３７】
そして更に所定時間経過後、上記不活化剤の供給と同様の動作にて、容器Ｆ２内の不活化剤を再び供給及び循環することにより、酸洗浄剤の不活化が図られるとともに、ｐＨを２．８程度から５〜９程度の中性領域まで上昇させ、洗浄剤の中和を図る。かかる中和工程の後、電磁弁Ｖ５を閉状態とするとともに、電磁弁Ｖ１、Ｖ２を開きつつ給水手段２から清浄水を供給することにより、前述と同様の清浄水による洗浄工程が行われる。
【００３８】
ここで、本実施形態においては、上記一連の洗浄工程（清浄水による洗浄工程−アルカリ洗浄工程−酸洗浄工程−中和工程−清浄水による洗浄工程）の過程で、電導度計４による電導度の計測をリアルタイムに行っており、例えば酸洗浄工程や中和工程で規定のｐＨに達し、確実な酸洗浄或いは中和が行われたか否かを監視することができるよう構成されている。
【００３９】
即ち、一連の洗浄工程の過程において、電導度計４で計測される電導度は、図３で示す如き変化する。かかる電導度は、ｐＨが１０程度とされた状態（アルカリ洗浄工程）、ｐＨが２．８程度とされた状態（酸洗浄工程）、ｐＨが８．２程度とされた状態（中和工程）において、それぞれ計測される値が上昇又は下降することが分かる。従って、電導度をリアルタイムに計測すれば、規定のｐＨに達したか否かが判別できるのである。
【００４０】
より具体的には、アルカリ洗浄工程から酸洗浄工程に移行した際、電導度計４で計測される電導度の酸洗浄工程初期（ｐＨ１０程度のとき）との差が０．５（ｍＳ／ｃｍ）程度になれば、酸洗浄工程で必要な酸性領域に達したと認識できるので、酸洗浄工程における酸洗浄が確実に行われているか否かを判別させることができる。同様に、酸洗浄工程から中和工程に移行した際、電導度計４で計測される電導度の酸洗浄工程時との差が０．９（ｍＳ／ｃｍ）程度になれば、中和されて無害化が図られたと認識できるので、中和工程における中和が確実に行われているか否かを判別させることができる。
【００４１】
本実施形態によれば、血液透析システムには必須とされる電導度計（電導度計測手段）を消毒（アルカリ洗浄）又は酸洗浄後における廃液のｐＨ監視にも流用するので、装置の製造コストの上昇及びメンテナンス作業性の悪化を抑制しつつ、廃液中に含まれる消毒剤や酸洗浄剤等の不活化が良好に図られているか否かを監視することができる。尚、電導度計４による計測値は、図３に示すように、一連の洗浄工程の過程でグラフ表示するよう構成してもよく、或いは電導度が所定の値に達しなかったときに警報等を鳴らすよう構成してもよい。
【００４２】
以上、本実施形態について説明したが、本発明はこれに限定されるものではなく、例えば一連の洗浄工程において中和工程が行われないもの、或いはアルカリ洗浄工程後、中和工程に移行するもの等にも適用することができる。また、一連の洗浄工程における電導度の監視は、ｐＨと電導度との対応関係を予め把握しておき、かかる対応関係に基づいて透析液流路内のｐＨ状態を監視するようにすればよい。尚、個人用透析装置から成る血液透析システム或いは透析用監視装置を含む血液透析システムの何れに適用してもよい。
【産業上の利用可能性】
【００４３】
供給手段による洗浄又は中和工程時、電導度計測手段により計測された電導度に基づき、透析液流路内のｐＨ状態を監視する血液透析システムであれば、透析液流路の配管形態が異なるものや他の機能が付加されたものにも適用することができる。
【図面の簡単な説明】
【００４４】
【図１】本発明の実施形態に係る血液透析システムの透析治療時の状態を示す模式図
【図２】同血液透析システムの洗浄工程及び中和工程時の状態を示す模式図
【図３】同血液透析システムによる一連の洗浄工程における電導度の推移を示すグラフ
【符号の説明】
【００４５】
１    透析液作製手段
２    給水手段
３    複式ポンプ
４    電導度計（電導度計測手段）
５    廃液手段
６    除水ポンプ
７    ダイアライザ（血液浄化手段）
８    供給手段
Ｌ１  供給側透析液流路（透析液流路）
Ｌ２  排出側透析液流路（透析液流路）
【図１】
2006280776.tif 000003
【図２】
2006280776.tif 000004
【図３】
2006280776.tif 000005